(57)【特許請求の範囲】
【請求項１】
ステータ（１）と、ロータ（２）と、ロータ（２）に対して一体回転可能に結合した整流子（３）と、２個のブラシホルダ（４）と、該ブラシホルダ（４）内に配置されて整流子（３）と協働する２個のカーボンブラシ（５）とを具え、両ブラシホルダ（４）が、互いに同軸的に整列し、かつ、相互に離間すると共にカーボンブラシが突出する端部領域で互いに対向するよう結合素子（６）の２個の固定部分（７）に配置され、前記結合素子（６）がステータに分離可能に結合された絶縁材料からなる電動モータにおいて、両固定部分（７）がステータ（１）に固定される固定点（１３）を有し、該固定部分（７）の相互間に延在する結合素子（６）の結合部分（９）が弾性を有し、前記結合素子（６）が前記固定点（１３）においてステータ（１）に固定された状態で、前記固定部分（７）が、ブラシホルダ（４）およびカーボンブラシ（５）と共に互いに離間変位しないように拘束されていることを特徴とする電動モータ。
【請求項２】
請求項１記載のモータにおいて、弾性を有する前記結合部分（９）が略Ｕ字形状の金具として形成され、該結合部分（９）がブラシホルダ（４）に対向する固定部分（７）の側から突出することを特徴とするモータ。
【請求項３】
請求項２記載のモータにおいて、ブラシホルダ（４）に一体的に結合された２個の接続フラップ（８）が、ブラシホルダ（４）に対向する固定部分（７）の側から突出することを特徴とするモータ。
【発明の詳細な説明】
【０００１】
【技術分野】
本発明は請求項１の前段部分に記載した形式の電動モータに関するものである。
【０００２】
【背景技術】
本出願人の製造販売に係るＴＥ５Ａ型のドリル装置は、ステータと、ロータと、一体回転可能としてロータと結合した整流子と、２個のブラシホルダとを具える電動モータを有し、上記のブラシホルダには整流子と協働する各１個のカーボンブラシが配置されている。両ブラシホルダは、環状に形成された結合素子の固定部分に配置され、両ブラシホルダの間隔は整流子の外径よりも僅かに大である。ブラシホルダ及び結合素子の未装着状態では、カーボンブラシが互いに対向するブラシホルダの端部領域から突出するため、カーボンブラシはブラシホルダ及び結合素子の取り付けに際し、平坦な適宜の工具、例えばドライバを用いて、カーボンブラシと協働するばねの力に抗してブラシホルダに圧入され、ブラシホルダは整流子を介して変位可能となる。
【０００３】
【発明の課題】
本発明の課題は、工具を使用せずに、両ブラシホルダをカーボンブラシと共に迅速、簡便かつ確実に装着可能とした電動モータを提案することにある。
【０００４】
【課題の解決手段】
上述した課題を解決するため、本発明は、ステータと、ロータと、ロータに対して一体回転可能に結合した整流子と、２個のブラシホルダと、該ブラシホルダ内に配置されて整流子と協働する２個のカーボンブラシとを具え、両ブラシホルダが、互いに同軸的に整列し、かつ、相互に離間すると共にカーボンブラシが突出する端部領域で互いに対向するよう結合素子の２個の固定部分に配置され、前記結合素子がステータに分離可能に結合された絶縁材料からなる電動モータにおいて、両固定部分がステータに固定される固定点を有し、該固定部分の相互間に延在する結合素子の結合部分が弾性を有し、前記結合素子が前記固定点においてステータに固定された状態で、前記固定部分が、ブラシホルダおよびカーボンブラシと共に互いに離間変位しないように拘束されていることを特徴とするものである。
【０００５】
本発明による電動モータは、結合部分が弾性を有することにより、両ブラシホルダを手で相互に大きく離間移動させることが可能となり、両ブラシホルダは、カーボンブラシがブラシホルダから突出するにも拘わらず、整流子を介して変位可能となる。固定部分に配置され、例えば、ロータの長手方向軸線に対して平行に延在する貫通孔として形成された固定点を用いることにより、結合素子全体は、貫通孔を貫通してステータに旋入可能な固定素子により、確実かつ堅固に固定可能となる。
【０００６】
弾性を有する結合部分は略Ｕ字形状の金具として形成するのが有利であり、この金具はブラシホルダに対向する固定部分の側から突出する。弾性結合部分を、例えば、薄肉の金具として形成することにより、両ブラシホルダは特に大きく離間移動させることが可能となる。このことは、特に、アクセス上の理由からブラシホルダをロータの長手方向軸線に対して平行に延在する方向に取り付ける必要があり、しかも、整流子の外径よりも大径のロータ端部における軸受個所を介してブラシホルダを変位させるべき場合に有利である。
【０００７】
電源から供給される電流と、ブラシホルダに配置したカーボンブラシとを、例えば、平坦なプラグによって迅速かつ簡便にブラシホルダに接続可能とするため、ブラシホルダに対向する固定部分の側から、ブラシホルダに一体的に結合された２個の接続フラップを突出させるのが好適である。
【０００８】
【実施の形態】
以下、本発明を図示の好適な実施形態について更に具体的に説明する。
【０００９】
本発明による電動モータは、ステータ１と、ロータ２と、ロータ２に対して一体回転可能に結合された整流子３と、整流子３と協働する２個のカーボンブラシ５と、２個のブラシホルダとを具える。両ブラシホルダ４は互いに同軸的に整列し、相互に離間すると共にカーボンブラシから突出した互いに対向する端部領域が、両ブラシホルダ４を相互に結合するための結合素子６における、プレート形状を呈する２個の固定部分７に配置される。両固定部分７は、ロータ２の長手方向軸線に対して垂直方向に延在する。
【００１０】
各固定部分７は、ブラシホルダ４を受けると共に結合素子６をステータ１に固定する機能を発揮する。両固定部分７をステータ１に固定するため、各固定部分７は、ブラシホルダ４の側方に少なくとも１個の固定点１３を具える。この固定点１３は、ロータ２の長手方向軸線に対して平行に延在する貫通孔で構成することができる。貫通孔１３には、ステータ１にねじ込み可能な固定素子（図示せず）を貫通させることができる。
【００１１】
両固定部分７の相互間には、金具形状とした弾性結合部分９が延在する。この結合部分９は、ブラシホルダ４に背向する固定部分７の側から突出する。この弾性結合部分９により、両固定部分７は、固定素子を用いないでステータ１に固定されているブラシホルダ４およびカーボンブラシ５と共に離間移動させることが可能である。
【００１２】
両固定部分７には、各２個の接続フラップ８が貫通し、ブラシホルダ４に対向する固定部分７の側から突出する。接続フラップ８はブラシホルダ４の一部を構成する。各固定部分７の一方の接続フラップ８は平坦なプラグ１１を支持する。
プラグ１１には、電気的な接続ケーブル１２を固定し、この接続ケーブルはブラシホルダ４に配置したカーボンブラシ５に接続する。他方の接続フラップ８は、直流電極（図示せず）に接続可能である。
【００１３】
固定部分７に背向する側では、各ブラシホルダ４から支持素子１４が突出する。この支持素子１４は、カーボンブラシ５と協働するための、渦巻きばね形状としたばね１０を受けるものである。ばね１０により、カーボンブラシ５は整流子３に対して押圧される。
【図面の簡単な説明】
【図１】  本発明の一実施例による電動モータの要部を示す説明図である。
【符号の説明】
１  ステータ
２  ロータ
３  整流子
４  ブラシホルダ
５  カーボンブラシ
６  結合素子
７  固定部分
８  接続フラップ
９  弾性結合部分
１０  ばね
１１  プラグ
１２  接続ケーブル
１３  固定点
１４  支持素子
【図１】
0004542661.tif 000002